(57)【要約】【課題】  本発明は、大勢の人々がインタ−ネット上で参加して、お互いの不足している部門を求め且つ補い合いながら、一つの音楽を完成させようとするものである。【解決手段】（イ）  会員である作曲者や作詞者は、制作管理サ−バ−上に自らの曲や詞を送信登録するとともに、作曲者は作詞者の詞を作詞者は作曲者の曲を制作管理サ−バ−上からダウンロ−ドして、それらの詞や曲に自らの曲や詞を付け加えた作品を再度制作管理サ−バ−上に送信登録して、相手との合意を図りながら一つの作品へと作り上げていく。（ロ）  会員である編曲者や歌手は、会員である作曲者や作詞者が制作管理サ−バ−上に送信登録した曲及び曲と詞が一つになった段階の作品の中から、自らのイメ−ジに合う作品をダウンロ−ドして、編曲者は編曲を施した作品を歌手は歌唱を挿入した作品を再度制作管理サ−バ−上に送信登録して、相手との合意を図りながら一つの作品へと作り上げていく。【選択図】  図１
2007121976.tif 000002
【特許請求の範囲】
【請求項１】
運営業者の制作管理サーバー（１ｂ）上で作曲者（２）及び作詞者（３）や編曲者（４）や歌手（５）が協力し合い、お互いに不足している分野を求め且つ補い合いながら、一つの完成した音楽へと制作していくインタ−ネットを利用した音楽制作システムで、
（イ）  運営業者音楽制作サイト（１ａ）に会員登録した会員は、制作管理サ−バ−（１ｂ）上に、自らの曲をエンコ−ドして作成した音声ファイルや、自らの譜面や詞をスキャナ−等でデジタル化して作成した文字デ−タ−ファイルを送信登録することができるとともに、他の会員が送信登録した作品を制作管理サ−バ−（１ｂ）上からダウンロ−ドすることができる。
（ロ）  会員である作曲者（２）や作詞者（３）は、制作管理サ−バ−（１ｂ）上に自らの曲や詞を送信登録するとともに、作曲者（２）は自らの曲やイメ−ジに合う作詞者（３）の詞を、作詞者（３）は自らの詞やイメ−ジに合う作曲者（２）の曲をそれぞれ制作管理サ−バ−（１ｂ）上からダウンロ−ドして、それらの詞や曲に自らの曲や詞を付け加えた作品を再度制作管理サ−バ−（１ｂ）上に送信登録して、相手との合意を図りながら一つの作品へと作り上げていく。
（ハ）  会員である編曲者（４）や歌手（５）は、会員である作曲者（２）や作詞者（３）が制作管理サ−バ−（１ｂ）上に送信登録した曲及び曲と詞が一つになった段階の作品の中から、自らのイメ−ジに合う作品をダウンロ−ドして、編曲者（４）は曲及び曲と詞が一つになった作品に自らの編曲を施した作品を、歌手（５）は曲と詞が一つになった作品に自らの歌唱を挿入した作品を再度制作管理サ−バ−（１ｂ）上に送信登録して、相手との合意を図りながら一つの作品へと作り上げていく。
以上の如く構成された、インタ−ネットを利用した音楽制作システム。
【発明の詳細な説明】
【発明の詳細な説明】
【技術分野】
【０００１】  この発明は、インタ−ネットを利用した音楽制作システムに関するものである。
【背景技術】
【０００２】  従来、新人ア−ティストや新曲を発掘するための、インタ−ネットを利用した募集や登録システムはあったが、それらはいずれも完成した作品を対象にしたものであって、今回の発明のようにインタ−ネットを利用して大勢の知らない者同士が、自らの得意分野を持ち寄りお互いの不足している分野を求め且つ補い合いながら、一つの作品を完成させ市場に提供していこうというような音楽制作システムはなかった。
【発明が解決しようとする課題】
【０００３】  本発明は、音楽制作に関心のある大勢の知らない者同士が、インタ−ネット上で参加して、お互いの不足している分野を求め且つ補い合いながら、一つの音楽作品を完成させ市場に提供していこうとするものである。
【課題を解決するための手段】
【０００４】  上記の課題を解決するための手段を説明すると、
（イ）  作曲者（２）及び作詞者（３）や編曲者（４）や歌手（５）はそれぞれ運営業者音楽制作サイト（１ａ）に会員登録し、制作管理サ−バ−（１ｂ）にアクセスできるようにする。
（ロ）  会員登録した会員は、制作管理サ−バ−（１ｂ）上に、自らの曲をエンコ−ドして作成した音声ファイルや、自らの譜面や詞をスキャナ−等でデジタル化して作成した文字デ−タ−ファイルを送信登録することができるとともに、他の会員が送信登録した作品を制作管理サ−バ−（１ｂ）上からダウンロ−ドすることができるようにする。
（ハ）  会員である作曲者（２）は、制作管理サ−バ−（１ｂ）上に自らの曲を送信登録して作詞者（３）や編曲者（４）を求めるとともに、自らも会員である作詞者（３）が制作管理サ−バ−（１ｂ）上に送信登録した詞の中から、自らの曲やイメ−ジに合う詞をダウンロ−ドして、それらの詞に自らの曲を付け加えた作品を再度制作管理サ−バ−（１ｂ）上に送信登録して、作詞者（３）との合意を図りながら一つの作品へと作り上げていく。
（ニ）  会員である作詞者（３）は、制作管理サ−バ−（１ｂ）上に自らの詞を送信登録して作曲者（２）を求めるとともに、自らも会員である作曲者（２）が制作管理サ−バ−（１ｂ）上に送信登録した曲の中から、自らの詞やイメ−ジに合う曲をダウンロ−ドして、それらの曲に自らの詞を付け加えた作品を再度制作管理サ−バ−（１ｂ）上に送信登録して、作曲者（２）との合意を図りながら一つの作品へと作り上げていく。
（ホ）  会員である編曲者（４）は、会員である作曲者（２）や作詞者（３）が制作管理サ−バ−（１ｂ）上に送信登録した曲及び曲と詞が一つになった段階の作品の中から、自らのイメ−ジに合う作品をダウンロ−ドして、それらの作品に自らの編曲を施した作品を再度制作管理サ−バ−（１ｂ）上に送信登録して、作曲者（２）や作詞者（３）との合意を図りながら一つの作品へと作り上げていく。
（ヘ）  会員である歌手（５）は、会員である作曲者（２）や作詞者（３）が制作管理サ−バ−（１ｂ）上に送信登録した曲と詞が一つになった段階の作品を、制作管理サ−バ−（１ｂ）上からダウンロ−ドして、それらの作品に自らの歌唱を挿入した作品を再度制作管理サ−バ−（１ｂ）上に送信登録して、作曲者（２）や作詞者（３）との合意を図りながら一つの作品へと作り上げていく。
以上の如く構成された、インタ−ネットを利用した音楽制作システム。
【実施例】
【０００５】  実施例について図面を参照に説明すると、
（イ）  作曲者（２）は、制作管理サ−バ−（１ｂ）上の募集欄に自らの曲を送信登録して作詞者（３）や編曲者（４）を求めるとともに、自らも作詞者（３）が制作管理サ−バ−（１ｂ）上の募集欄に送信登録した詞の中から、自らの曲やイメ−ジに合う詞をダウンロ−ドして、それらの詞に自らの曲を付け加えた作品を制作管理サ−バ−（１ｂ）上の提案欄に送信登録して、作詞者（３）との合意を図りながら曲と詞が一つになった作品を作り上げていく。
（ロ）  作詞者（３）は、制作管理サ−バ−（１ｂ）上の募集欄に自らの詞を送信登録して作曲者（２）を求めるとともに、自らも作曲者（２）が制作管理サ−バ−（１ｂ）上の募集欄に送信登録した曲の中から、自らの詞やイメ−ジに合う曲をダウンロ−ドして、それらの曲に自らの詞を付け加えた作品を制作管理サ−バ−（１ｂ）上の提案欄に送信登録して、作曲者（２）との合意を図りながら曲と詞が一つになった作品を作り上げていく。
（ハ）  作曲者（２）と作詞者（３）は、上記（イ）及び（ロ）で出来た曲と詞が一つになった作品を制作管理サ−バ−（１ｂ）上の募集欄に送信登録して、編曲者（４）や歌手（５）を求めて一つの完成作品へと作り上げていく。
（ニ）  編曲者（４）は、作曲者（２）や作詞者（３）が制作管理サ−バ−（１ｂ）上の募集欄に送信登録した曲及び曲と詞が一つになった段階の作品の中から、自らのイメ−ジに合う作品をダウンロ−ドして、それらの作品に自らの編曲を施した作品を制作管理サ−バ−（１ｂ）上の提案欄に送信登録して、作曲者（２）や作詞者（３）との合意を図りながら一つの完成作品へと作り上げていく。
（ホ）  歌手（５）は、作曲者（２）や作詞者（３）が制作管理サ−バ−（１ｂ）上の募集欄に送信登録した曲と詞が一つになった段階の作品の中から、自らのイメ−ジに合う作品をダウンロ−ドして、それらの作品に自らの歌唱を挿入した作品を制作管理サ−バ−（１ｂ）上の提案欄に送信登録して、作曲者（２）や作詞者（３）との合意を図りながら一つの完成作品へと作り上げていく。
（ヘ）  登録作品が、他の会員によって制作管理サ−バ−（１ｂ）上の募集欄からダウンロ−ドされた場合や、ダウンロ−ドされた作品に手が加えられ書き足された作品が制作管理サ−バ−（１ｂ）上の提案欄に送信登録された場合には、直ちに相手会員に通知がいくとともに、相手会員は登録済みのパソコン端末や携帯端末等で作品の内容が確認できるようにする。
（ト）  視聴者（６）は、完成音楽サ−バ−（１ｃ）上から、完成音楽の一部分を試聴することができ、完成音楽をダウンロ−ドして購入することもできる。又、視聴者（６）のアクセス数等を参考にＣＤ化など市場参入をする際には、視聴者（６）などがオ−クション等によって投資参加ができるようにする。
【発明の効果】
【０００６】  本発明は、以上説明したような形態で実施され、以下に記載されるような効果がある。
（イ）  インタ−ネットを利用して、得意分野の異なる多くの人々が一ヶ所に集まって、お互いの不得意分野を求め且つ補い協力し合うことにより、これまで未完成のまま埋もれていた作品や、音楽制作に行き詰まりを感じていた人々も、目新しく面白い良い作品に巡り遇えるチャンスが生まれ、自らの作品を完成させ表舞台に出せるチャンスが広がり、延いては音楽業界の活性化にもつながる。
（ロ）  多数の会員が同時に目にする機会が多いインタ−ネット上で作品を公表するということは、公表日時等の確定など著作権発生を主張する際の証明にも役立つ。
（ハ）  インタ−ネットを利用することにより、スピ−ド感を持った音楽制作が可能であり、多数の会員とのやり取りが直接且つ迅速にできる。
【図面の簡単な説明】
【図１】  実施例の関係を示す図である。
【符号の説明】
１ａ  運営業者音楽制作サイト
１ｂ  制作管理サ−バ−
１ｃ  完成音楽サ−バ−
２    作曲者
３    作詞者
４    編曲者
５    歌手
６    試聴者
【図１】
2007121976.tif 000003